(57)【要約】 【課題】既存のアルミサッシを残したまま、掃出し窓のサッシ下枠に隣接する床材を補修する。【解決手段】本発明に係る結露水集排水部材１は、底板２、室内側側板３、頂板４及びサッシ側側板５を角筒状断面に構成してなり、それらで取り囲まれた空間を結露水の集排水空間６としてある。結露水集排水部材１の頂板４には、該結露水集排水部材の材軸とほぼ平行な溝状凹部７を形成してあるとともに、該溝状凹部に集排水空間６と連通する頂部水抜き孔８を形成してある。また、結露水集排水部材１のサッシ側側板５には、スリット状の側部水抜き孔９を形成してあり、該サッシ内水抜き孔を介して集排水空間６を屋外に連通可能に構成してある。【選択図】  図１
2008050793.tif 000002
【特許請求の範囲】
【請求項１】
底板、室内側側板、頂板及びサッシ側側板を角筒状断面に構成してそれらで取り囲まれた空間を結露水の集排水空間とした結露水集排水部材であって、その材軸とほぼ平行な溝状凹部を前記頂板に形成して該溝状凹部に前記集排水空間と連通する頂部水抜き孔を形成するとともに、前記サッシ側側板に側部水抜き孔を形成することで所定のサッシ内水抜き孔を介して前記集排水空間を屋外に連通可能に構成したことを特徴とする結露水集排水部材。
【請求項２】
前記底板であって前記頂部水抜き孔と対向する位置にビス孔を形成した請求項１記載の結露水集排水部材。
【請求項３】
底板、室内側側板、頂板及びサッシ側側板を角筒状断面に構成してそれらで取り囲まれた空間を結露水の集排水空間とした結露水集排水部材を、掃出し窓が取り付けられるサッシの下枠と室内の床材との間であって前記サッシ側側板が前記下枠に対向するようにかつ前記室内側側板が前記床材に対向するように配置してなる床構造であって、前記結露水集排水部材の頂板に該結露水集排水部材の材軸とほぼ平行な溝状凹部を形成して該溝状凹部に前記集排水空間と連通する頂部水抜き孔を形成するとともに、前記サッシ側側板に側部水抜き孔を形成して該側部水抜き孔及び前記下枠内に設けられたサッシ内水抜き孔を介して前記結露水集排水部材の集排水空間を屋外に連通させたことを特徴とする床構造。
【請求項４】
前記底板であって前記頂部水抜き孔と対向する位置にビス孔を形成した請求項３記載の床構造。
【発明の詳細な説明】
【技術分野】
【０００１】
本発明は、掃出し窓に適用される結露水集排水部材及びそれを用いた床構造に関する。
【背景技術】
【０００２】
住宅の開口部には、窓を嵌め込む枠材としてアルミサッシを取り付けることが多いが、かかるアルミサッシは、アルミニウムという材質上、熱伝導率が高い。
【０００３】
そのため、冬期にサッシの室内面が結露しやすくなるとともに、サッシから流下してきた結露水は、開口部の下縁を構成する木部の表面を変色させたり、シミを形成したり、木部を腐食させたりする原因となる。
【０００４】
そのため、かかる結露水の対策として、さまざまな観点から技術開発が行われてきた。
【０００５】
【特許文献１】特開平８−９３３３０号公報
【特許文献２】特開平１０−２９２７４５号公報
【特許文献３】特開２００１−１３２３５６号公報
【特許文献４】特開２００２−４７１９号公報
【特許文献５】特開２００２−２１３１４８号公報
【特許文献６】特開２００２−３０９８５７号公報
【発明の開示】
【発明が解決しようとする課題】
【０００６】
ここで、特許文献１，４，５には、結露水が室内に入らぬように改良されたアルミサッシが開示されている。また、特許文献２には、サッシ下枠と開口部との間に排水溝を形成した遮水部材を介在させる点が開示されており、特許文献３には、開口部の内周縁に調湿部材を取り付ける点が、特許文献６には、サッシ縦枠と開口部の側面との間に合成樹脂で形成された見切り材を介在させる点がそれぞれ開示されている。
【０００７】
しかしながら、サッシの結露水による不具合は、湿気が除去されにくい掃出し窓の下方で生じやすく、かかる掃出し窓に嵌め込まれるサッシの下枠に隣接した箇所、すなわち、掃出し窓に最も近い床材は、結露水のために変色したり、腐食したりする。
【０００８】
翻って、上述した従来技術は、新築時にしか適用できなかったり、開口部の側方にしか適用できなかったりと、いずれもリフォーム時において掃出し窓に適用することができないという問題を生じていた。
【０００９】
ちなみに、特許文献２に開示された遮水部材は、リフォーム時への適用について言及があるものの、既存アルミサッシの下枠下方に排水部材を嵌め込むことは、実際には困難が予想される。
【課題を解決するための手段】
【００１０】
本発明は、上述した事情を考慮してなされたもので、既存のアルミサッシを残したまま、掃出し窓のサッシ下枠に隣接する床材を補修することが可能な結露水集排水部材及びそれを用いた床構造を提供することを目的とする。
【００１１】
上記目的を達成するため、本発明に係る結露水集排水部材は請求項１に記載したように、底板、室内側側板、頂板及びサッシ側側板を角筒状断面に構成してそれらで取り囲まれた空間を結露水の集排水空間とした結露水集排水部材であって、その材軸とほぼ平行な溝状凹部を前記頂板に形成して該溝状凹部に前記集排水空間と連通する頂部水抜き孔を形成するとともに、前記サッシ側側板に側部水抜き孔を形成することで所定のサッシ内水抜き孔を介して前記集排水空間を屋外に連通可能に構成したものである。
【００１２】
また、本発明に係る結露水集排水部材は、前記底板であって前記頂部水抜き孔と対向する位置にビス孔を形成したものである。
【００１３】
また、本発明に係る床構造は請求項３に記載したように、底板、室内側側板、頂板及びサッシ側側板を角筒状断面に構成してそれらで取り囲まれた空間を結露水の集排水空間とした結露水集排水部材を、掃出し窓が取り付けられるサッシの下枠と室内の床材との間であって前記サッシ側側板が前記下枠に対向するようにかつ前記室内側側板が前記床材に対向するように配置してなる床構造であって、前記結露水集排水部材の頂板に該結露水集排水部材の材軸とほぼ平行な溝状凹部を形成して該溝状凹部に前記集排水空間と連通する頂部水抜き孔を形成するとともに、前記サッシ側側板に側部水抜き孔を形成して該側部水抜き孔及び前記下枠内に設けられたサッシ内水抜き孔を介して前記結露水集排水部材の集排水空間を屋外に連通させたものである。
【００１４】
また、本発明に係る床構造は、前記底板であって前記頂部水抜き孔と対向する位置にビス孔を形成したものである。
【００１５】
本発明に係る結露水集排水部材及びそれを用いた床構造においては、結露水集排水部材の頂板に溝状凹部を形成して該溝状凹部に頂部水抜き孔を形成するとともに、サッシ側側板に側部水抜き孔を形成して該側部水抜き孔及び下枠内に設けられたサッシ内水抜き孔を介して結露水集排水部材の集排水空間を屋外に連通させてある。
【００１６】
かかる構成においては、掃出し窓やサッシに生じた結露水が流下して下枠に到達したとき、結露水は、結露水集排水部材の頂板に設けられた溝状凹部に流れ込み、次いで、該溝状凹部に形成された頂部水抜き孔を介して結露水集排水部材の集排水空間に流下して集水される。そして、集排水空間内の結露水は、側部水抜き孔を介してサッシの下枠へと流出し、次いで、サッシに設けられたサッシ内水抜き孔を経て屋外へと排出される。
【００１７】
そのため、掃出し窓やサッシに生じた結露水は、スムーズに屋外へと排出されることとなり、従来のように結露水が床材に浸み込み、床材を変色させたり腐食させたりするおそれがなくなる。
【００１８】
結露水集排水部材は、防水性を有する材料で形成するものとし、例えばプラスチックで形成することができる。ここで、結露水集排水部材は、角筒状に形成したものを水平状態でサッシの下枠と床材との間に配置できるようにしておく。
【００１９】
結露水集排水部材は、必ずしも角筒に形成する必要はなく、例えば底板の一方の縁部に室内側側板を立設するとともに該室内側側板の頂部に頂板を底板と対向するように延設し、該頂板の反対側縁部からサッシ側側板を垂設することで、該サッシ側側板の下縁を底板との間にスリットが形成されるように該下縁を底板から離間させ、かかるスリットを側部水抜き孔としてもよい。
【００２０】
このように、側部水抜き孔は、スリット状に形成することが可能であるし、又は、丸孔とすることができる。なお、側部水抜き孔を丸孔とした場合には、結露水集排水部材は、サッシ側側板の下縁が底板の他方の縁部に接続され、角筒に形成されることとなる。
【００２１】
サッシ内水抜き孔は、既存のサッシに形成されていない場合には、結露水集排水部材を取り付ける際に現場で穿孔すればよい。
【００２２】
結露水集排水部材をどのようにしてサッシ下枠と床材との間に固定するかは任意であって、サッシ下枠、根太、床下地材等に接着剤で固定するようにしてもかまわないが、結露水集排水部材の底板であって頂部水抜き孔と対向する位置にビス孔を形成しておけば、ビスを頂部水抜き孔に挿通した後、ビス孔に通して根太、床下地材、土台等にねじ込むことにより、結露水集排水部材を固定することができる。この場合、頂部水抜き孔は、ビスやそれを螺合するドライバーの先端を挿入する取付け孔としての役目も果たすこととなる。
【発明を実施するための最良の形態】
【００２３】
以下、本発明に係る結露水集排水部材及びそれを用いた床構造の実施の形態について、添付図面を参照して説明する。なお、従来技術と実質的に同一の部品等については同一の符号を付してその説明を省略する。
【００２４】
図１は、本実施形態に係る結露水集排水部材を示した斜視図である。同図でわかるように、本実施形態に係る結露水集排水部材１は、底板２、室内側側板３、頂板４及びサッシ側側板５を角筒状断面に構成してなり、それらで取り囲まれた空間を結露水の集排水空間６としてある。
【００２５】
結露水集排水部材１の頂板４には、該結露水集排水部材の材軸とほぼ平行な溝状凹部７を形成してあるとともに、該溝状凹部に集排水空間６と連通する頂部水抜き孔８を形成してある。
【００２６】
また、結露水集排水部材１のサッシ側側板５には、スリット状の側部水抜き孔９を形成してあり、該サッシ内水抜き孔を介して集排水空間６を屋外に連通可能に構成してある。
【００２７】
結露水集排水部材１は、プラスチック等の防水性材料で形成してある。
【００２８】
図２は、結露水集排水部材１を床構造に適用した様子を示した鉛直断面図である。同図でわかるように、本実施形態に係る床構造１１は、掃出し窓１２が取り付けられるサッシ１５の下枠１６と室内の床材１７との間に結露水集排水部材１を配置してあるとともに、該結露水集排水部材のサッシ側側板５を下枠１６に対向させ、かつ室内側側板３を床材１７に対向させてある。
【００２９】
ここで、上述した側部水抜き孔９は、該側部水抜き孔及び下枠１６内に設けられたサッシ内水抜き孔１８を介して結露水集排水部材１の集排水空間６を屋外１９に連通させてある。
【００３０】
また、結露水集排水部材１の底板２には、頂部水抜き孔８と対向する位置にビス孔２０を形成してあり、図１及び図２に示すようにビス２１を頂部水抜き孔８に挿通した後、ビス孔２０に通して土台２２にねじ込むことにより、結露水集排水部材１を該土台に固定することができる。この場合、頂部水抜き孔８は、ビス２１やそれを螺合するドライバー（図示せず）の先端を挿入する取付け孔としての役目も果たすこととなる。
【００３１】
本実施形態に係る結露水集排水部材１及びそれを用いた床構造１１を床のリフォーム工事に採用するにあたっては、まず、変色しあるいは腐食した古い床材を撤去する。
【００３２】
次に、サッシ１５の下枠１６にサッシ内水抜き孔１８が形成されていない場合には、結露水集排水部材１を設置する前に予め該サッシ内水抜き孔を穿孔する。
【００３３】
次に、結露水集排水部材１をサッシ１５の下枠１６にあてがうようにして土台２２の上に当接し、次いで、ビス２１を頂部水抜き孔８に挿通した後、ビス孔２０に通して土台２２にねじ込むことにより、結露水集排水部材１を該土台に固定する。
【００３４】
次に、床材１７を根太２３の上に敷設する。
【００３５】
本実施形態に係る結露水集排水部材１及びそれを用いた床構造１１においては、結露水集排水部材１の頂板４に溝状凹部７を形成して該溝状凹部に頂部水抜き孔８を形成するとともに、サッシ側側板５に側部水抜き孔９を形成して該側部水抜き孔及び下枠１６内に設けられたサッシ内水抜き孔１８を介して結露水集排水部材１の集排水空間６を屋外１９に連通させてある。
【００３６】
かかる構成においては、掃出し窓１２やサッシ１５に生じた結露水のうち、下枠１６に形成されたサッシ排水溝に流下せずに室内側に流下してきた結露水は図３に示すように、結露水集排水部材１の頂板４に設けられた溝状凹部７に流れ込み、次いで、該溝状凹部に形成された頂部水抜き孔８を介して結露水集排水部材１の集排水空間６に流下して集水される。そして、集排水空間６内の結露水は、側部水抜き孔９を介してサッシ下枠１６へと流出し、次いで、サッシ下枠１６に設けられたサッシ内水抜き孔１８を経て屋外へと排出される。
【００３７】
以上説明したように、本実施形態に係る結露水集排水部材１及びそれを用いた床構造１１によれば、掃出し窓やサッシに生じた結露水がスムーズに屋外へと排出されることとなり、従来のように結露水が床材に浸み込み、床材を変色させたり腐食させたりするおそれがなくなる。
【００３８】
また、本実施形態に係る結露水集排水部材１及びそれを用いた床構造１１によれば、掃出し窓１２が取り付けられるサッシ１５の下枠１６と室内の床材１７との間に結露水集排水部材１を配置するようにしたので、床をリフォームする際、古い床材を撤去した後、結露水集排水部材１を設置し、しかる後に新しい床材１７を敷設すれば足りることとなり、かくしてサッシ１５を交換せずとも、該サッシの下枠１６近傍における防水性を高めることが可能となる。
【００３９】
また、本実施形態に係る結露水集排水部材１及びそれを用いた床構造１１によれば、結露水集排水部材１の底板２であって頂部水抜き孔８と対向する位置にビス孔２０を形成したので、ビス２１を頂部水抜き孔８に挿通した後、ビス孔２０に通して土台２２にねじ込むことにより、結露水集排水部材１を土台２２に固定することが可能となる。また、頂部水抜き孔８を、ビス２１やそれを螺合するドライバーの先端を挿入する取付け孔として兼用することも可能となる。
【００４０】
本実施形態ではリフォーム工事に適用することを前提として説明したが、本発明を新築時に適用することができることは言うまでもない。
【００４１】
また、本実施形態では、結露水集排水部材１を土台２２に固定するようにしたが、結露水集排水部材１がサッシ１５の下枠１６と床材１７との間に配置された状態で固定できるのであれば、固定対象となる部材は土台に限定されるものではなく、根太や床下地材であってもよいし、上階であれば梁に固定してもかまわない。
【図面の簡単な説明】
【００４２】
【図１】本実施形態に係る結露水集排水部材１の全体斜視図。
【図２】本実施形態に係る床構造１１の鉛直断面図。
【図３】本実施形態に係る結露水集排水部材１及びそれを用いた床構造１１において結露水が屋外に排出される様子を示した斜視図。
【符号の説明】
【００４３】
１                            結露水集排水部材
２                            底板
３                            室内側側板
４                            頂板
５                            サッシ側側板
６                            集排水空間
７                            溝状凹部
８                            頂部水抜き孔
９                            側部水抜き孔
１１                          床構造
１２                          掃出し窓
１５                          サッシ
１６                          下枠
１７                          床材
１８                          サッシ内水抜き孔
２０                          ビス孔
２１                          ビス
【図１】
2008050793.tif 000003
【図２】
2008050793.tif 000004
【図３】
2008050793.tif 000005